(57)【要約】【課題】  先細りの異形狹幅布片による装飾を施して顕著な独創性および斬新性を表出するようにし、これによりマンネリ化を払拭するようにした新規の装飾付き釣竿を提供することを目的とする。【解決手段】  樹脂の塗布や含浸加工によるホツレ止め処理が施されたプリント模様若しくは織模様付きの大きい織物から幅が先端に向かうに従って徐々に狭くなる形にされた幅が狭くて長い異形狹幅布片をカットし、この異形狹幅布片をブランク若しくはグリップの外表面に白等明色による下地を介して巻きつけ固定し、且つ前記異形狹幅布片への浸水をエポキシ樹脂層若しくはウレタン樹脂層等透明樹脂層のコーティングにより防ぐようにすることによって、前記ブランク若しくはグリップの外表面に深みがある重厚な装飾を設けるようにしたものである。【選択図】        図１
2007289082.tif 000002
【特許請求の範囲】
【請求項１】
幅が狭くて長い織物製の狹幅布片を巻いて固定することにより構成された装飾が外表面に設けられていることを特徴とする装飾付き釣竿。
【請求項２】
幅が先端に向かうに従って徐々に狭くなる形にされ且つ樹脂の塗布や含浸加工によるホツレ止め処理が施された幅が狭くて長い織物製の狹幅布片を巻いて固定することにより構成された装飾が外表面に設けられていることを特徴とする装飾付き釣竿。
【請求項３】
前記狹幅布片が、プリント模様若しくは織模様付きであることを特徴とする請求項１または２記載の装飾付き釣竿。
【請求項４】
前記装飾が、シンボルマークとして機能するものであることを特徴とする請求項１〜３いずれか一つの請求項記載の装飾付き釣竿。
【請求項５】
前記狹幅布片が、柄付きの大きい織物からカットされ且つホツレ止め処理が施されたものであることを特徴とする請求項１〜４いずれか一つの請求項記載の装飾付き釣竿。
【請求項６】
前記装飾が、ブランクの表面に設けられたことを特徴とする請求項１〜５いずれか一つの請求項記載の装飾付き釣竿。
【請求項７】
前記装飾が、グリップの表面に設けられたことを特徴とする請求項１〜６いずれか一つの請求項記載の装飾付き釣竿。
【請求項８】
前記狹幅布片が、白等明色による下地を設けてその上に固定されたことを特徴とする請求項１〜７いずれか一つの請求項記載の装飾付き釣竿。
【請求項９】
前記織物が、和装柄付きであることを特徴とする請求項１〜８いずれか一つの請求項記載の装飾付き釣竿。
【請求項１０】
前記織物が、プリントであることを特徴とする請求項１〜９いずれか一つの請求項記載の装飾付き釣竿。
【請求項１１】
前記狹幅布片が、透明樹脂層により固定されたことを特徴とする請求項１〜１０いずれか一つの請求項記載の装飾付き釣竿。
【請求項１２】
前記透明樹脂層が、前記狹幅布片を被覆して当該狹幅布片への浸水を防ぐようにされたことを特徴とする請求項１１記載の装飾付き釣竿。
【請求項１３】
透明樹脂層が、エポキシ樹脂層若しくはウレタン樹脂層であることを特徴とする請求項１１または１２記載の装飾付き釣竿。
【発明の詳細な説明】
【技術分野】
【０００１】
本発明は、プリント、縮緬、その他の織布により装飾された装飾付き釣竿に関する。
【背景技術】
【０００２】
従前知られているこの種の釣竿は、グラスファイバー、カーボンファイバー等繊維（図示せず）に樹脂を含浸させて構成された丸棒をセンターレスマシーン（芯無し研磨盤）で研磨することにより先細りのテーパー状にされたブランクに、バット、後グリップ、前グリップ、リールシート、飾り巻、ガイド、ガイド巻及びネームを適宜取り付けて完成され提供されている。
【０００３】
ところで、前記のテーパー状にされたブランクは、負荷がかかって竿先が曲がること等が原因で、前記テーパー面にグラスファイバー、カーボンファイバー等繊維の剥離が起こり易くなることから、その表面のテーパー状面に柔軟で割れにくく且つ色褪せを起しにくいウレタン塗装を施したり、端から端まで同じ幅の合成樹脂テープを用いたテープ巻きや総糸巻きを施して樹脂で固めてからウレタン塗装を施したりする等して補強されている。そして、その表面にはキラキラ輝くラメ入り塗装コートやグラデーション塗装コート等を施して見映えをよくしている。すなわち、従前の釣竿は、ウレタン塗装及び塗装コートを施すことで前記繊維の剥離等による破損を解消するようにしてある。
【０００４】
一方、上記のような釣竿をはじめとする従来知られている装飾付き釣竿は、独創性および斬新性を出すために、形状、模様、色使い等に工夫が施されているが、必ずしも充分には、顕著な独創性・斬新性を表出しなくなってきていて、いずれもマンネリ化を払拭し切れない状態になっているとしか言いようのないものが多い。
【０００５】
とは言え、顕著な独創性・斬新性を充分に表現する類のもの、マンネリ化を払拭する類のものに対する要望が強く且つ多いのが現状である。
【０００６】
そこで、本発明者は、本発明の提案に先立って、和紙、洋紙、合成紙（本文中、これらを単に紙という）をブランク（竿の材料）の表面に巻き飾る装飾方法と、織物（テキスタイル）（本文中、これらを単に布ということもある）をブランクの表面に巻き飾る装飾方法を試みた。
【０００７】
その結果、前者には、紙が充分な引っ張り強度を有していなく伸びないために、無理にブランクのテーパーに合せて綺麗な仕上がりを得ようとして引っ張ると破れたり、切れたりし易く、しかも、伸びがないことを考慮してブランクの太さ及びテーパーの角度に合うように紙を切る作業は必ずしも容易なことではなく、隙間や重なりができないように計算して切る高度な計算技術を必要とする問題、隙間や重なりができてしまった不良製品ができ易い問題、熟練を要する問題等が多くあることを知った。
【０００８】
他方、後者には、布が引っ張りに対する適応力（伸縮性）を有しているので、ブランクのテーパーに合せて綺麗な仕上がりを得ようとして多少引っ張っても破れたり、切れたりすることはなく、また必要に応じて伸ばすことが可能である分、前記前者のようにシビアな計算の必要性はなく、ブランクの太さ及びテーパーの角度に合うように計算して切る作業を比較的容易に行いうる利点があるのみならず隙間や重なりができないように計算して切るにも前者のような高度な計算技術を必要としなく、隙間や重なりがない良品を製作し易い利点があり、しかも、余程強く引っ張ることをしない限りは切れたりしないから引っ張りながら、隙間や重なりができないように密着させて巻くことが容易に可能であるので、ブランクを効果的に補強できるのみならず前記布が有する染色若しくは色の織糸による平面的模様は、前記紙が有する平面的模様のようにインクが表面に付着して表出されているのではなく、表・裏に達して若しくは中まで達して且つ織糸の折れ曲がりによる凹凸と相俟って表出されるから、平面的模様であるのに、紙とは明らかに異なる深みがある重厚な装飾を得ることができる等の事実を知ることができた。
【０００９】
そこで、本発明者は、前記の事実を基にさらに工夫し、先細りの狹幅布片を用いた、マンネリ化の払拭等に好適な装飾付き釣竿を提供する。
【００１０】
なお、本出願人は、「先細りの狹幅布片による装飾をもつ装飾付き釣竿」に特化して先行技術を調査したが、関連する先行技術文献を見出すことができなかった。
【発明の開示】
【発明が解決しようとする課題】
【００１１】
本発明は、狹幅布片による装飾を施して顕著な独創性および斬新性を表出するようにし、これによりマンネリ化を払拭するようにした新規の装飾付き釣竿を提供することを課題とする。
【課題を解決するための手段】
【００１２】
前記の課題を達成するために、請求項１に係る装飾付き釣竿は、幅が狭くて長い織物製の狹幅布片を巻いて固定することにより構成された装飾が外表面に設けられていることを特徴とする。
【００１３】
この請求項１に係る装飾付き釣竿は、前記狹幅布片を巻いて固定することにより、紙とは明らかに異なる深みがある重厚な装飾を備えていることになるから、従前の釣竿では醸成し得なかった顕著な独創性および斬新性を表出でき、前記マンネリ化を払拭できる。
【００１４】
請求項２に係る装飾付き釣竿は、幅が先端に向かうに従って徐々に狭くなる形にされ且つ樹脂の塗布や含浸加工によるホツレ止め処理が施された幅が狭くて長い織物製の異形狹幅布片を巻いて固定することにより構成された装飾が外表面に設けられていることを特徴とする。
【００１５】
この請求項２に係る装飾付き釣竿は、前記異形狹幅布片を巻いて固定することにより得た深みがある重厚な装飾が、従前の釣竿では醸成し得なかった顕著な独創性および斬新性を表出でき、前記マンネリ化を払拭できる。しかも、異形狹幅布片は、幅が先端に向かうに従って徐々に狭くなる形にされているから、これを先細のテーパー状を呈しているブランクには巻き易く、能率よく美麗に巻くことができる。
【００１６】
請求項３に係る装飾付き釣竿は、請求項１または２に係る装飾付き釣竿にあって、前記狹幅布片がプリント模様若しくは織模様付きであることを特徴とする。
【００１７】
この請求項３に係る装飾付き釣竿は、前記装飾がプリント模様若しくは織模様付きの構成にされているから、前記請求項１または２に係る装飾付き釣竿よりもなお一層顕著な独創性および斬新性を表出でき、前記マンネリ化をより顕著に払拭できる。
【００１８】
請求項４に係る装飾付き釣竿は、請求項１〜３記載の装飾付き釣竿にあって、前記装飾が、シンボルマークとして機能するものであることを特徴とする。
【００１９】
この請求項４に係る装飾付き釣竿は、所有者自身を特定する機能があり、同者の優越感を満足させることができるのみならずシンボルマークがネームにされた場合には取り違え等の防止にも役立つものである。
【００２０】
請求項５に係る装飾付き釣竿は、請求項１〜４いずれか一つの請求項記載の装飾付き釣竿にあって、前記狹幅布片が、柄付きの大きい織物からカットされ且つ樹脂の塗布や含浸加工によるホツレ止め処理が施されたものであることを特徴とする。
【００２１】
したがって、この請求項５に係る装飾付き釣竿は、例えば後述する実施の形態例に述べるように、狹幅布片にテンションをかけながら例えばブランクの全表面若しくは一部表面に巻き止めることで当該ブランクを補強することができるのみならず当該狹幅布片には樹脂の塗布や含浸加工によるホツレ止め処理が施されているから、ホツレが生じない綺麗な仕上がりの完成品を提供することができる。
【００２２】
請求項６に係る装飾付き釣竿は、請求項１〜５いずれか一つの請求項記載の装飾付き釣竿にあって、前記装飾がブランクの表面に設けられたことを特徴とする。
【００２３】
したがって、この請求項６に係る装飾付き釣竿によれば、顕著な独創性および斬新性を表出してマンネリ化を払拭する機能をブランクの全表面若しくは一部表面に備え且つ当該ブランクが狹幅布片により補強された新規の釣竿を容易に提供できる。
【００２４】
請求項７に係る装飾付き釣竿は、請求項１〜６いずれか一つの請求項記載の装飾付き釣竿にあって、前記装飾がグリップの表面に設けられたことを特徴とする。
【００２５】
したがって、この請求項７に係る装飾付き釣竿によれば、顕著な独創性および斬新性を表出してマンネリ化を払拭する機能をグリップの表面に備え且つ当該グリップが狹幅布片により補強された新規の釣竿を容易に提供できる。
【００２６】
請求項８に係る装飾付き釣竿は、請求項１〜７いずれか一つの請求項記載の装飾付き釣竿にあって、前記狹幅布片が白等明色による下地を設けてその上に固定されたことを特徴とする。
【００２７】
したがって、この請求項８に係る装飾付き釣竿にあっては、顕著な独創性および斬新性を表出してマンネリ化を払拭する機能を発揮する異形狹幅布片の発色が、白等明色による下地により顕著に良好にされたより美麗な製品を容易に提供することができる。
【００２８】
請求項９に係る装飾付き釣竿は、請求項１〜８いずれか一つの請求項記載の装飾付き釣竿にあって、前記織物が和装柄付きであることを特徴とする。
【００２９】
したがって、この請求項９に係る装飾付き釣竿によれば、より顕著な独創性および斬新性を表出してマンネリ化を払拭する機能をもつ和装調の雰囲気を醸成する特異な製品を提供できる。
【００３０】
請求項１０に係る装飾付き釣竿は、請求項１〜９いずれか一つの請求項記載の装飾付き釣竿にあって、前記狹幅布片がプリントであることを特徴とする。
【００３１】
したがって、この請求項１０に係る装飾付き釣竿は、バリエーションをつけた多種のプリントが至るところで数多く提供されているから、柄パターンを所謂無限に且つ自由に選択でき、一本ごとに異なる独特な釣竿の提供が容易に実施し易い利点を有している。
【００３２】
請求項１１に係る装飾付き釣竿は、請求項１〜１０いずれか一つの請求項記載の装飾付き釣竿にあって、前記狹幅布片が透明樹脂層により固定されたことを特徴とするので、布特有の所謂良さを透明樹脂層により長期に亘って維持できる製品を容易に提供できるのみならず当該樹脂層は、狹幅布片に浸み込んでその織り糸同士の接着、当該織り糸を形成する繊維同士の接着およびこれら織り糸、繊維とブランク間の接着を果たすから、結果として狹幅布片の固定により補強されて耐用性に優れた製品の提供ができる。
【００３３】
請求項１２に係る装飾付き釣竿は、請求項１１記載の装飾付き釣竿にあって、前記透明樹脂層が、狹幅布片を被覆して当該狹幅布片への浸水を防ぐようにされたことを特徴とするので、装飾を形成する当該狹幅布片が海水や雨水等で濡れてしまうようなことがないものである。しかも、前記透明樹脂層は、狹幅布片の変色や変質を皆無若しくは惹起しにくくするから、長期に亘って製品を美麗な状態に維持できる。
【００３４】
請求項１３に係る装飾付き釣竿は、請求項１１または１２記載の装飾付き釣竿にあって、透明の樹脂層がエポキシ樹脂層若しくはウレタン樹脂層であることを特徴とするので、耐用性により優れた装飾をもつ良品を容易に提供できる。
【発明の効果】
【００３５】
本発明によれば、上記の通りであるので、従前の釣竿では醸成し得なかった独創性および斬新性を備えた狹幅布片による装飾をもつ新規の釣竿を提供でき、前記マンネリ化の払拭ができる。また、狹幅布片の巻き止めによりブランク、グリップが補強された新規の釣竿が提供できる。しかも、狹幅布片には樹脂の塗布や含浸加工によるホツレ止め処理が施されているからホツレが生じない綺麗な仕上がりの完成品を提供できる。さらに、狹幅布片の発色が白等明色による下地により良好にされた美麗な釣竿の提供ができる。しかも和風柄の狹幅布片を用いた和装調雰囲気の製品の提供ができる。バリエーションをつけた多種のプリントを用いて実施が可能であるから一本ごとに異なる独特な釣竿の提供が容易にできる。狹幅布片すなわち装飾が変色や変質をしないようにされた耐用性に優れた製品の提供が容易にできる。特に、前記のように幅が先端に向かうに従って徐々に狭くなる形にされ且つ樹脂の塗布や含浸加工によるホツレ止め処理が施された幅が狭くて長い織物製の異形狹幅布片を用いて実施する場合には、当該異形狹幅布片が先細りのテーパー状を呈しているブランクに対しては形状的に馴染むから、巻き付け作業がし易く、美麗に能率よく巻くことができる。
【発明を実施するための最良の形態】
【００３６】
図１〜図５は、本発明の実施の形態に係る装飾付き釣竿１を示す。なお、図１は全体を示す一部省略側面図であり、図２は要部を示す一部切截拡大側面図であり、図３は図２ＡーＡに沿う拡大断面図であり、図４は先細りの異形狹幅布片の一製造過程を示す説明図であり、図５は先細りの異形狹幅布片を示す部分省略展開図である。
【００３７】
前記実施の形態に係る装飾付き釣竿１は、グラスファイバーを束ねて樹脂を含浸させた丸棒（図示せず）をセンターレスマシーン（芯無し研磨盤）を使用して研磨することにより先細りのテーパー面にしたブランク３を構成し、このブランク３のテーパー面に次に述べる方法によって先細りの異形狹幅布片２を巻きつけ固定すると共に当該異形狹幅布片２に透明のエポキシ樹脂２０を塗布してコーティング層を形成したのち、このようにして構成したブランク３に、バット４、後グリップ５、前グリップ６、リールシート７、飾り巻８、ガイド９、ガイド巻１０及びネーム（図示せず）を適宜取り付けて完成されている。
【００３８】
前記異形狹幅布片２の巻きつけ方法は、図４に示すように、先ず、樹脂（接着剤）の塗布や含浸加工によるホツレ止め処理が施されたプリント柄１２をもつ織物（所謂プリント）１３から一方端幅１４aが狭く他方端幅１４bが広い長尺の一番目異形狹幅布片１４を切り取り、次いで一方端幅１５aが前記一番目異形狹幅布片１４の他方端幅１４bと同じ幅にされ他方端幅１５bが当該一方端幅１５aより広くされた二番目異形狹幅布片１５を切り取り、その次に一方端幅１６aが前記二番目異形狹幅布片１５の他方端幅１５bと同じ幅にされ他方端幅１６bが当該二番目異形狹幅布片１５の他方端幅１５bより広くされた三番目異形狹幅布片１６を切り取るというような作業を順次行って四番目異形狹幅布片１７以降を得る。この場合、異形狹幅布片の切り取りは、バイアスに切ることが望ましいが、縦又は横に切っても使用することは可能である。
【００３９】
すなわち、前記一番目異形狹幅布片１４〜三番目異形狹幅布片１６およびそれ以降の異形狹幅布片１７は、図５に示す展開図のように、番号の若い順に継ぎ並べた場合、これらが連続して一本分のブランク３用の細長い二等辺三角形を呈する先細りの異形狹幅布片２を形成するようにカットされる。したがって、後述する要領で巻き進んだときには穂先側では狭く握り側では広い状態を呈するように巻かれることになる。細長い二等辺三角形の底辺長さは、斜辺の傾き角度を（計算により）選定することで狭くも広くもできるから、巻き回数が多い製品を得たい場合には狭く、少ない製品を得たい場合には広くすることができる。つまり、二等辺三角形の底辺長さすなわち切り取り方を変えることで容易に趣きの異なる製品が提供できることになる。
【００４０】
次いで、前記ブランク３の穂先部に前記一番目狹幅布１４の一方端幅１４a部を巻いて本止め若しくは仮止めしてから当該一番目狹幅布１４をブランク３の握り端側に向かって螺旋方向に巻き進んで他方端幅１４b部まで巻き終わってところで本止め若しくは仮止めする。
【００４１】
その後、一番目狹幅布１４の他方端幅１４b部の末端と二番目狹幅布１５の一方端幅１５a部の先端を丁寧に且つ綺麗に突合せて本止め若しくは仮止めしてからそのまま連続して当該二番目狹幅布１５を巻き進んで他方端幅１５b部まで巻き終わってところで本止め若しくは仮止めする。
【００４２】
さらに、前記二番目狹幅布１５と同様にして三番目狹幅布１６以降を巻いてブランク３の握り端まで巻き終ったところで本止め若しくは仮止めする。巻き進む場合には、やや引っ張り加減で隙間や重なり部分、柄ズレ等の不具合ができないように丁寧に且つ綺麗に巻くようにする。なお、前記仮止めには、糸で結ぶ方法、接着テープで止める方法、接着剤で止める方法等の適宜方法や、樹脂を塗布しておいて固化する前に巻き終って当該樹脂の固化により固定する方法等が選択できる。なお、ブランク３の表面には前以て白の下地１９を塗布してある。この下地は設けないで実施することもできる。
【００４３】
前記のようにして巻き終ったら、各狹幅布片１４〜１７の表面から透明のエポキシ樹脂２０を塗布してコーティングする。この場合、エポキシ樹脂２０は、狹幅布片１４〜１７の織り糸間、当該織り糸の繊維間から浸透してブランク３の周表面に達し一体化状態に固定される。だから、前記狹幅布片１４〜１７は、ブランクの強固な保護材として機能することになる。
【００４４】
前記のようにして完成した深みがある重厚な平面的装飾を有するブランク３にバット４、後グリップ５、前グリップ６、リールシート７、飾り巻８、ガイド９およびガイド巻１０を適宜取り付け設けて装飾付き釣竿１を完成する。なお、ガイド９およびガイド巻１０の設け個所には、当該個所が太目になって釣糸の動きの邪魔になったり外観的に見た目が悪い状態になったりしないようにするために、前記ガイド巻１０等取り付け個所への異形狹幅布片の巻き付けをしないで同取り付け個所をできるだけ細くすることができる。このようにして、仕方なくできてしまう段差をできるだけ低くなるようにすることが望ましい。なお、図に示す実施の形態例には、前記異形狹幅布片の巻き付けをしない個所を設けていない。
【００４５】
前記の実施の形態に係る装飾付き釣竿１は、後グリップ５および前グリップ６の周表面にも、前記ブランプ３の場合と同様の方法により、前記プリント柄１２をもつ織物から切り取った先細りテーパー状の狹幅布片１８を巻きつけ固定してある。この場合、コーティングには、透明樹脂好ましくは透明な合成ゴムを使用して汚れ難くしたり、充分な滑り止め効果を得るようにすることが望ましい。また、後グリップ５および前グリップ６への巻きつけ固定を施さないで完成品とすることは任意である。
【００４６】
前記実施の形態例は、バリエーションが豊富なプリントを利用するようにしているので、結果として無限の種類の柄をもつ装飾付き釣竿を提供し易い。また、小ロットでプリント柄付き布を製作できる昇華印刷の技術でプリントを容易に得ることが可能であるから、特注の一本だけをオリジナルとして製作して提供する等の場合には、これらに対応し易い利点がある。さらに、プリントを用いているから、刺繍による立体的模様をもつ織物のように狹幅布片の切り取り作業を行うときに刺繍糸が分断されてホツレや毛羽立ち等を起すような問題および同立体的刺繍の存在による凹凸が釣糸の扱いの邪魔になってしまうような問題を有していない。
【００４７】
以上、図に示す実施の形態について説明したが、本発明は、上記実施の形態に限定されるものでなく、特許請求の範囲に記載された発明の精神を逸脱しない範囲において、種々の形態例えば継ぎ竿、中空竿等で実施することが可能であり、また、織物に代えて編物を用いることで実施することが可能である。そして本発明はこのように実施されたものにも及ぶものである。
【図面の簡単な説明】
【００４８】
【図１】本発明の実施の形態を示す全体の一部省略側面図である。
【図２】要部を示す一部切截拡大側面図である。
【図３】図２ＡーＡに沿う拡大断面図である。
【図４】先細りテーパー状の異形狹幅布片の製造過程を示す説明図である。
【図５】先細りテーパー状の異形狹幅布片を示す部分省略展開図である。
【符号の説明】
【００４９】
１  実施の形態に係る装飾付き釣竿
２  先細りテーパー状の異形狹幅布片
３  ブランク
４  バット
５  後グリップ
６  前グリップ
７  リールシート
８  飾り巻
９  ガイド
１０  ガイド巻
１２  プリント柄
１３  布（所謂プリント）
１４  一番目狹幅布片
１４a  一方端幅
１４b  他方端幅
１５  二番目狹幅布片
１５a  一方端幅
１５b  他方端幅
１６  三番目狹幅布片
１６a  一方端幅
１６b  他方端幅
１７  四番目狹幅布片
１８  狹幅布片
１９  白の下地
２０  透明のエポキシ樹脂
【図１】
2007289082.tif 000003
【図２】
2007289082.tif 000004
【図３】
2007289082.tif 000005
【図４】
2007289082.tif 000006
【図５】
2007289082.tif 000007